(57)【要約】【課題】ＩＭＳ端末のネットワークへのアクセス方法及び装置を提供する。【解決手段】該方法は、ＩＭＳ端末の所属地ＩＭＳ端末管理システムがＩＭＳ端末のアクセス先ＩＭＳ端末管理システムからアクセス先のＩＭＳネットワークアクセス点情報を取得し、ここで、ＩＭＳ端末管理システム間にインターフェースを介して各自のデータの同期を実現し、所属地ＩＭＳ端末管理システムが、取得したＩＭＳネットワークアクセス点情報を含む配置情報をＩＭＳ端末に送信するステップを含む。本発明において、ＩＭＳ端末管理システム間でインターフェースを介して各自のデータの同期を実現し、ローミングする際、ＩＭＳ端末の所属地ＩＭＳ端末管理システムがそのアクセス先ＩＭＳ端末管理システムからアクセス先アクセス点情報を取得して、ＩＭＳ端末に当該アクセス点情報を含む配置情報を送信することによって、ＩＭＳ端末が取得したアクセス点が更に正確であって、業務ローミング管理を実現し、ＩＭＳネットワークの安全性を向上させる。【選択図】図２
2016504807.tif 000002
【特許請求の範囲】
【請求項１】
ＩＭＳ端末の所属地ＩＭＳ端末管理システムが、前記ＩＭＳ端末のアクセス先ＩＭＳ端末管理システムから、前記アクセス先のＩＭＳネットワークアクセス点情報を取得し、ここで、ＩＭＳ端末管理システム間はインターフェースを介して各自のデータの同期を実現することと、
前記所属地ＩＭＳ端末管理システムが、前記ＩＭＳ端末に、取得した前記ＩＭＳネットワークアクセス点情報を含む配置情報を送信することを含むインターネットプロトコルマルチメディアサブシステムＩＭＳ端末のネットワークへのアクセス方法。
【請求項２】
ＩＭＳ端末の所属地ＩＭＳ端末管理システムが、前記ＩＭＳ端末のアクセス先ＩＭＳ端末管理システムから、前記アクセス先のＩＭＳネットワークアクセス点情報を取得することが、
前記所属地ＩＭＳ端末管理システムが、前記ＩＭＳ端末の登録要求を受信することと、
前記所属地ＩＭＳ端末管理システムが、前記登録要求に基づいて、前記アクセス先ＩＭＳ端末管理システムから、前記アクセス先のＩＭＳネットワークアクセス点情報を取得することを含む請求項１に記載の方法。
【請求項３】
前記所属地ＩＭＳ端末管理システムが、前記登録要求に基づいて、前記アクセス先ＩＭＳ端末管理システムから前記アクセス先のＩＭＳネットワークアクセス点情報を取得することが、
前記所属地ＩＭＳ端末管理システムが、前記登録要求に基づいて、前記ＩＭＳ端末の合法を認証した後、前記ＩＭＳ端末が接続されているインターネットプロトコルＩＰアドレスに基づいて、前記アクセス先ＩＭＳ端末管理システムを確定することと、
前記所属地ＩＭＳ端末管理システムが、前記アクセス先ＩＭＳ端末管理システムにＩＭＳネットワークアクセス点情報要求メッセージを送信することと、
前記所属地ＩＭＳ端末管理システムが、前記アクセス先ＩＭＳ端末管理システムからのＩＭＳネットワークアクセス点情報と前記アクセス先の業務情報を受信することを含む請求項２に記載の方法。
【請求項４】
前記所属地ＩＭＳ端末管理システムが前記ＩＭＳ端末に配置情報を送信する前、
前記所属地ＩＭＳ端末管理システムが、前記ＩＭＳ端末の予定の戦略に従って、前記アクセス先の業務情報、前記ＩＭＳネットワークアクセス点情報、前記所属地ＩＭＳ端末管理システムのローカルに保存した前記ＩＭＳ端末が開始した業務情報を整合して、前記配置情報を生成することをさらに含む請求項３に記載の方法。
【請求項５】
前記ＩＭＳ端末に複数の異なるアカウントが存在すると、前記ＩＭＳ端末が一つのアカウントの所属地ＩＭＳ端末管理システムに成功的に登録した後、当該アカウントと所属地の異なる現在のアカウントで登録する場合、ＩＭＳ端末の所属地ＩＭＳ端末管理システムがアクセス先ＩＭＳ端末管理システムから前記アクセス先のＩＭＳネットワークアクセス点情報を取得する前、さらに、
前記登録済みのＩＭＳ端末管理システムが、前記ＩＭＳ端末の登録要求を受信し、前記登録要求に基づいて、前記現在のアカウントの所属地ＩＭＳ端末管理システムを確定することと、
前記登録済みのＩＭＳ端末管理システムが、前記現在のアカウントの所属地ＩＭＳ端末管理システムに身分認証要求を発することと、
認証に成功すると、前記登録済みのＩＭＳ端末管理システムが前記現在のアカウントの所属地ＩＭＳ端末管理システムから前記現在のアカウントの業務情報を取得して前記アクセス先ＩＭＳ端末管理システムから前記アクセス先のＩＭＳネットワークアクセス点情報を取得することと、
認証に成功していないと、登録を終了し、前記ＩＭＳ端末が前記登録済みのＩＭＳ端末管理システムとの接続を切断することを含む請求項１に記載の方法。
【請求項６】
前記ＩＭＳ端末に複数の異なるアカウントが存在し、前記ＩＭＳ端末が一つのアカウントの所属地ＩＭＳ端末管理システムに成功的に登録した後、当該アカウントと所属地の異なる現在のアカウントで登録する場合、ＩＭＳ端末の所属地ＩＭＳ端末管理システムがアクセス先ＩＭＳ端末管理システムから前記アクセス先のＩＭＳネットワークアクセス点情報を取得する前、さらに、
前記登録済みのＩＭＳ端末管理システムが、前記ＩＭＳ端末の登録要求を受信し、前記登録要求に基づいて、前記現在のアカウントの所属地ＩＭＳ端末管理システムを確定することと、
前記登録済みのＩＭＳ端末管理システムが、前記ＩＭＳ端末に前記現在のアカウントの所属地ＩＭＳ端末管理システムのドメイン情報を送信することと、
前記現在のアカウントの所属地ＩＭＳ端末管理システムが、前記ＩＭＳ端末の登録要求を受信することを含む請求項１に記載の方法。
【請求項７】
前記所属地ＩＭＳ端末管理システムが前記ＩＭＳネットワークアクセス点情報の取得に失敗したと、前記所属地ＩＭＳ端末管理システムが、直接に所属地のＩＭＳネットワークアクセス点情報を前記ＩＭＳ端末に送信し、前記ＩＭＳ端末が、前記所属地のＩＭＳネットワークアクセス点情報に基づいて、ＩＭＳネットワークにアクセスする請求項１乃至６の中のいずれかに記載の方法。
【請求項８】
ＩＭＳ端末管理システムが、自体の全ての端末のアカウント情報、業務データ、管轄ＩＰセグメントを配置し、また、対応する一つ又は複数のＩＭＳ端末管理システムのドメイン、管轄ＩＰセグメント、システム特徴コードを配置する請求項１乃至６の中のいずれかに記載の方法。
【請求項９】
所属地ＩＭＳ端末管理システムがアクセス先ＩＭＳ端末管理システムから前記アクセス先のＩＭＳネットワークアクセス点情報を取得する前、さらに、
ＩＭＳ端末管理システムが、他のＩＭＳ端末管理システムからのデータ同期更新要求を受信し、同期を要求したデータの合法性を検査することと、
前記同期を要求したデータが合法なものであると、前記ＩＭＳ端末管理システムは、前記同期を要求したデータが自体の既存データと衝突するか否かを検査し、前記同期を要求したデータが非合法なものであると、前記ＩＭＳ端末管理システムは、前記他のＩＭＳ端末管理システムに失敗情報を返事することと、
前記同期を要求したデータが前記既存データと衝突しないと、前記ＩＭＳ端末管理システムが、前記同期を要求したデータを自動に更新することと、
前記同期を要求したデータが前記既存データと衝突すると、前記ＩＭＳ端末管理システムが、前記他のＩＭＳ端末管理システムに衝突するノード情報を送信し、前記他のＩＭＳ端末管理システムが、データを調整してから再びデータの同期を行うことを含む請求項１乃至６の中のいずれかに記載の方法。
【請求項１０】
ＩＭＳ端末管理システムが、他のＩＭＳ端末管理システムからのデータ同期更新要求を受信する前、さらに、
前記ＩＭＳ端末管理システムがＩＰセグメントが衝突するか否かを自己検査し、衝突しないと、ＩＰセグメントを分割して有効にすることを含む請求項８に記載の方法。
【請求項１１】
前記ＩＭＳネットワークアクセス点情報が、前記ＩＭＳ端末がアクセスしたＩＰアドレスに対応する基地局コントローラアドレス情報である請求項１乃至４の中のいずれかに記載の方法。
【請求項１２】
ＩＭＳ端末管理システムに応用されるインターネットプロトコルマルチメディアサブシステムＩＭＳ端末のネットワークへのアクセス装置であって、
ＩＭＳ端末のアクセス先ＩＭＳ端末管理システムから前記アクセス先のＩＭＳネットワークアクセス点情報を取得する取得モジュールと、ここで、ＩＭＳ端末管理システム間はインターフェースを介して各自のデータの同期を実現し、
前記ＩＭＳ端末に、取得した前記ＩＭＳネットワークアクセス点情報を含む配置情報を送信する送信モジュールと、を含む装置。
【請求項１３】
前記ＩＭＳ端末の予定の戦略に従って、前記アクセス先の業務情報と、前記ＩＭＳネットワークアクセス点情報と、前記所属地ＩＭＳ端末管理システムのローカルに保存した前記ＩＭＳ端末が開始した業務情報とを整合する整合モジュールと、
前記配置情報を生成する生成モジュールと、を更に含む請求項１２に記載の装置。
【発明の詳細な説明】
【技術分野】
【０００１】
本発明は、通信分野に関し、具体的に、インターネットプロトコルマルチメディアサブシステム端末のネットワークへのアクセス方法及び装置に関するものである。
【背景技術】
【０００２】
インターネットプロトコルマルチメディアサブシステム（ＩＰ  Ｍｕｌｔｉｍｅｄｉａ  Ｓｕｂｓｙｓｔｅｍ、ＩＭＳと略称）ネットワークは、ＩＭＳ端末に対して、移動無線端末のようにローミング制御アクセスを実現することで、ユーザがＩＭＳ端末を移動させる時の登録や削除、移転又は番号変更等操作を減少することを求めている。
【０００３】
ユーザが営業所で登録する際、ユーザ名とパスワードを生成し、ユーザが端末の電源を入れてから手動で端末のインターフェースにてユーザ名とパスワードを入力する。ユーザがユーザ名、パスワードを入力した後、制御システムにて登録する。ユーザが制御システムにて登録していないと、又はユーザ名、パスワードが間違っていると、又は端末がローミング状態であると、制御システムは直接に端末に登録失敗のメッセージを返事する。
【０００４】
既存のＩＭＳ端末管理システムによると、端末がアクセスしたインターネットプロトコル（Ｉｎｔｅｒｎｅｔ  Ｐｒｏｔｏｃｏｌ、ＩＰと略称）アドレスと当該システムに配置されたデータとを確定・比較し、確定条件が整合されないと、システムは当該端末がローミング制御を超えていると確定し、登録を許可せず、ＩＭＳコアネットワークに登録するための配置情報を送信する。
【０００５】
既存のＩＭＳ端末管理システムのローミング制御及びデータ配置方法は以下のとおりである。
システムにおいて当該システムが制御可能な領域の全ての地域を配置し、地域の配置は、国、省、市、区県の４級に配置することができ、各級の地域の各地域にいずれも当該地域のＩＰセグメントを配置する。同時に、一つ又は複数の非制御領域を配置し、且つ、当該一つ又は複数の非制御領域のＩＰセグメントを配置する。端末のアカウントに当該端末アカウントのローミング制御戦略を設定する。
【０００６】
ＩＭＳ事業者の要求に応じて、出荷される時、端末に統一にＩＭＳ端末管理システムのドメインアドレスを設定し、端末が全ての地方で登録される時も、設定されたドメインでＩＭＳ端末管理システムに登録してＩＭＳ業務配置情報を取得することができる。
【０００７】
端末はＩＭＳ端末管理システムにて登録する際に接続先のＩＰアドレスを取得し、システムは端末のアカウント、パスワードに基づいて端末のアカウント情報のローミング制御戦略を取得し、システムは登録接続先のＩＰアドレスと地域に配置されたＩＰアドレスを整合させて地域情報を取得し、さらに、端末のアカウントのローミング制御戦略と取得した地域、登録地域とを整合させて確定し、ローミング制御戦略を満たさないと、登録に失敗することになる。
【０００８】
端末機器がＩＭＳネットワークにてローミングする際、ネットワークプロトコル接続アクセスネットワーク（Ｉｎｔｅｒｎｅｔ  Ｐｒｏｔｏｃｏｌ  Ｃｏｎｎｅｃｔｉｖｉｔｙ  Ａｃｃｅｓｓ  Ｎｅｔｗｏｒｋ、ＩＰ−ＣＡＮと略称）ローミングとＩＭＳローミングの２種類の制御方式がある。
ここで、ＩＰ−ＣＡＮローミングは、実際上、端末機器がネットワークを介して所属地のＩＭＳネットワークにアクセスすることである。
【０００９】
ＩＭＳローミングアクセスは、汎用無線パケット業務（Ｇｅｎｅｒａｌ  Ｐａｃｋｅｔ  Ｒａｄｉｏ  Ｓｅｒｖｉｃｅ、ＧＰＲＳと略称）、第三世代移動通信（Ｔｈｅ  Ｔｈｉｒｄ  Ｇｅｎｅｒａｔｉｏｎ  Ｍｏｂｉｌｅ  Ｃｏｍｍｕｎｉｃａｔｉｏｎｓ、３Ｇと略称）方式のアクセスと、無線ローカルエリアネットワーク（Ｗｉｒｅｌｅｓｓ  Ｌｏｃａｌ  Ａｒｅａ  Ｎｅｔｗｏｒｋ、ＷＬＡＮと略称）無線、ケーブル／ディジタルユーザ線（ｃａｂｌｅ／Ｄｉｇｉｔａｌ  Ｓｕｂｓｃｒｉｂｅｒ  Ｌｉｎｅ、ｃａｂｌｅ／ｘＤＳＬと略称）有線方式のアクセスとに分けられる。
【００１０】
ＧＰＲＳと３Ｇアクセス方式は、ＩＰ−ＣＡＮネットワークに付着されて、サービング汎用パケット無線業務支援ノード（Ｓｅｒｖｉｎｇ  Ｇｅｎｅｒａｌ  ｐａｃｋｅｔ  ｒａｄｉｏ  ｓｅｒｖｉｃｅ  ｓｕｐｐｏｒｔ  ｎｏｄｅ、ＳＧＳＮと略称）を介してＩＭＳネットワークに登録することができる。ＷＬＡＮとｃａｂｌｅ／ｘＤＳＬ方式は、動的ホスト配置プロトコル（Ｄｙｎａｍｉｃ  Ｈｏｓｔ  Ｃｏｎｆｉｇｕｒｅ  Ｐｒｏｔｏｃｏｌ、ＤＨＣＰと略称）サーバを介して、呼出代理セッション制御機能エンティティ（Ｐｒｏｘｙ−Ｃａｌｌ  Ｓｅｓｓｉｏｎ  Ｃｏｎｔｒｏｌ  Ｆｕｎｃｔｉｏｎ、Ｐ−ＣＳＣＦと略称）ドメインを発現し、ドメインネームサーバー（Ｄｏｍａｉｎ  Ｎａｍｅ  Ｓｅｒｖｅｒ、ＤＮＳと略称）によってＰ−ＣＳＣＦドメインを解析して端末に返事し、端末はＰ−ＣＳＣＦアドレスに基づいてＩＭＳネットワークにアクセスする。
【００１１】
既存のＩＭＳ端末管理システムにおいてローミング方式は、管理システム内の地域間でのローミングと管理システム外の管理システム間でのローミングの２種類がある。図１は、関連技術に係わるＩＭＳ端末がローミングしてネットワークにアクセスすることを示す図であり、図１に示すように、１は現在のコンピューターネットワークを表し、２はＩＭＳ端末管理システム１が制御する領域範囲を表し、３はＩＭＳ端末管理システム２が制御する領域範囲を表し、４はＩＭＳ端末管理システム１を表し、５はＩＭＳ端末管理システム２を表し、６は領域１から領域ｂにローミングするフローを表し、７は端末（Ｔｅｒｍｉｎａｌ  Ｓｔａｔｉｏｎ、ＴＳと略称）がコンピューターネットワークを介してＩＭＳ端末管理システム１に登録するフローを表し、８は端末ＴＳがＩＭＳ端末管理システム１から送信された配置情報を受信することを表する。以下、図１を参照して、上記した２種類のローミング方式を説明する。
【００１２】
管理システム内の地域間でのローミングについて、端末ＴＳがＩＭＳ端末管理システム１の制御領域において領域１から領域２にローミングした時、ＩＭＳ端末管理システム１は、端末がアクセスしたＩＰアドレスに基づいてユーザが領域２での認証に通過したと確定し、ＩＭＳ端末管理システム１は領域２に配置されたＩＭＳ代理サーバアドレス情報を送信し、ＴＳは送信されたＩＭＳ代理サーバアドレス情報に基づいて、近所でアクセスする。
【００１３】
管理システム外の管理システム間でのローミングについて、端末ＴＳが、ＩＭＳ端末管理システム１により制御される領域１からＩＭＳ端末管理システム２により制御される領域ｂにローミングし、端末ＴＳがその所属地のＩＭＳ端末管理システム１にて登録し、ＩＭＳ端末管理システム１がＩＭＳ端末がアクセスしたＩＰアドレスに基づいてローミングした領域が本システムの管轄領域内ではないと確定し、ＩＰアドレスに基づいて所属地管理システムに記憶されたデータと整合し、代理アクセス点基地局コントローラ（Ｂａｓｅ  Ｓｔａｔｉｏｎ  Ｃｏｎｔｒｏｌｌｅｒ、ＢＳＣと略称）情報と業務情報を取得してＴＳに送信する。
【００１４】
既存のＩＭＳ端末管理システムのローミング制御方法とＩＭＳネットワークローミング方法によると、以下のような問題が存在する。
まず、ＩＭＳ端末管理システムは、リモートアクセス代理点のアドレス等の情報を正確に配置することができなく、端末は正確なアクセス点を取得することができない。
次に、各アクセスするネットワークのＩＭＳネットワークドメインが異なっていて、ＩＭＳ端末管理システムのドメインも異なるので、ＩＭＳ端末機器の初期化が難しく、端末データの配置が複雑で、普及に不利である。
第三に、ＩＰ−ＣＡＮローミング方式によると、ＩＰネットワークを介して直接に所属地のＩＭＳネットワークにアクセスするので、通信ネットワークサービス品質（Ｑｕａｌｉｔｙ  ｏｆ  Ｓｅｒｖｅｒ、ＱＯＳと略称）要求を保証しにくく、また、ＩＭＳローミングのＷＬＡＮとｃａｂｌｅ／ｘＤＳＬアクセス方式によると、ＤＨＣＰサーバを変更させなければならなく、ＤＨＣＰを介してネットワークにアクセスしていないＩＭＳ端末はＩＭＳネットワークにアクセスしにくい。
最後に、端末が業務ローミング管理を開始することができない。
関連技術において、端末が正確なアクセス点を取得できなく、端末が業務ローミング管理を開始することができない問題に対し、いまだに有効な解決案を提示していない。
【発明の概要】
【発明が解決しようとする課題】
【００１５】
本発明は、少なくとも、関連技術において端末が正確なアクセス点を取得できなく、端末が業務ローミング管理を開始することができない問題を解決できるインターネットプロトコルマルチメディアサブシステムＩＭＳ端末のネットワークへのアクセス方法及び装置を提供する。
【課題を解決するための手段】
【００１６】
本発明の一態様によると、ＩＭＳ端末の所属地ＩＭＳ端末管理システムが、ＩＭＳ端末のアクセス先ＩＭＳ端末管理システムからアクセス先のＩＭＳネットワークアクセス点情報を取得し、ここで、ＩＭＳ端末管理システム間はインターフェースを介して各自のデータの同期を実現することと、所属地ＩＭＳ端末管理システムが、ＩＭＳ端末に、取得したＩＭＳネットワークアクセス点情報を含む配置情報を送信することを含むＩＭＳ端末のネットワークへのアクセス方法を提供する。
【００１７】
ＩＭＳ端末の所属地ＩＭＳ端末管理システムが、ＩＭＳ端末のアクセス先ＩＭＳ端末管理システムから、アクセス先のＩＭＳネットワークアクセス点情報を取得することが、所属地ＩＭＳ端末管理システムが、ＩＭＳ端末の登録要求を受信することと、所属地ＩＭＳ端末管理システムが、登録要求に基づいて、アクセス先ＩＭＳ端末管理システムからアクセス先のＩＭＳネットワークアクセス点情報を取得することを含むことが好ましい。
【００１８】
所属地ＩＭＳ端末管理システムが、登録要求に基づいて、アクセス先ＩＭＳ端末管理システムからアクセス先のＩＭＳネットワークアクセス点情報を取得することが、所属地ＩＭＳ端末管理システムが、登録要求に基づいて、ＩＭＳ端末の合法を認証した後、ＩＭＳ端末が接続されているインターネットプロトコルＩＰアドレスに基づいて、アクセス先ＩＭＳ端末管理システムを確定することと、所属地ＩＭＳ端末管理システムが、アクセス先ＩＭＳ端末管理システムにＩＭＳネットワークアクセス点情報要求メッセージを送信し、所属地ＩＭＳ端末管理システムが、アクセス先ＩＭＳ端末管理システムからのＩＭＳネットワークアクセス点情報とアクセス先の業務情報を受信することを含むことが好ましい。
【００１９】
所属地ＩＭＳ端末管理システムがＩＭＳ端末に配置情報を送信する前、上記方法が、所属地ＩＭＳ端末管理システムが、ＩＭＳ端末の予定の戦略に従って、アクセス先の業務情報、ＩＭＳネットワークアクセス点情報、所属地ＩＭＳ端末管理システムのローカルに保存したＩＭＳ端末が開始した業務情報を整合して配置情報を生成することを含むことが好ましい。
【００２０】
ＩＭＳ端末に複数の異なるアカウントが存在すると、ＩＭＳ端末が一つのアカウントの所属地ＩＭＳ端末管理システムに成功的に登録した後、当該アカウントと所属地の異なる現在のアカウントで登録する場合、ＩＭＳ端末の所属地ＩＭＳ端末管理システムがアクセス先ＩＭＳ端末管理システムからアクセス先のＩＭＳネットワークアクセス点情報を取得する前、上記方法が、登録済みのＩＭＳ端末管理システムが、ＩＭＳ端末の登録要求を受信し、登録要求に基づいて、現在のアカウントの所属地ＩＭＳ端末管理システムを確定することと、登録済みのＩＭＳ端末管理システムが、現在のアカウントの所属地ＩＭＳ端末管理システムに身分認証要求を発することと、認証に成功すると、登録済みのＩＭＳ端末管理システムが現在のアカウントの所属地ＩＭＳ端末管理システムから現在のアカウントの業務情報を取得してアクセス先ＩＭＳ端末管理システムからアクセス先のＩＭＳネットワークアクセス点情報を取得することと、認証に成功していないと、登録を終了し、ＩＭＳ端末が登録済みのＩＭＳ端末管理システムとの接続を切断することを更に含むことが好ましい。
【００２１】
ＩＭＳ端末に複数の異なるアカウントが存在し、ＩＭＳ端末が一つのアカウントの所属地ＩＭＳ端末管理システムに成功的に登録した後、当該アカウントと所属地の異なる現在のアカウントで登録する場合、ＩＭＳ端末の所属地ＩＭＳ端末管理システムがアクセス先ＩＭＳ端末管理システムからアクセス先のＩＭＳネットワークアクセス点情報を取得する前、上記方法が、登録済みのＩＭＳ端末管理システムが、ＩＭＳ端末の登録要求を受信し、登録要求に基づいて、現在のアカウントの所属地ＩＭＳ端末管理システムを確定することと、登録済みのＩＭＳ端末管理システムが、ＩＭＳ端末に現在のアカウントの所属地ＩＭＳ端末管理システムのドメイン情報を送信することと、現在のアカウントの所属地ＩＭＳ端末管理システムが、ＩＭＳ端末の登録要求を受信することを更に含むことが好ましい。
【００２２】
所属地ＩＭＳ端末管理システムがＩＭＳネットワークアクセス点情報の取得に失敗したと、所属地ＩＭＳ端末管理システムが、直接に所属地のＩＭＳネットワークアクセス点情報をＩＭＳ端末に送信し、ＩＭＳ端末が、所属地のＩＭＳネットワークアクセス点情報に基づいて、ＩＭＳネットワークにアクセスすることが好ましい。
【００２３】
ＩＭＳ端末管理システムが、自体の全ての端末のアカウント情報、業務データ、管轄ＩＰセグメントを配置し、また、対応する一つ又は複数のＩＭＳ端末管理システムのドメイン、管轄ＩＰセグメント、システム特徴コードを配置することが好ましい。
【００２４】
所属地ＩＭＳ端末管理システムがアクセス先ＩＭＳ端末管理システムからアクセス先のＩＭＳネットワークアクセス点情報を取得する前、上記方法が、ＩＭＳ端末管理システムが、他のＩＭＳ端末管理システムからのデータ同期更新要求を受信し、同期を要求したデータの合法性を検査し、同期を要求したデータが合法なものであると、ＩＭＳ端末管理システムは、同期を要求したデータが自体の既存データと衝突するか否かを検査することと、同期を要求したデータが非合法なものであると、ＩＭＳ端末管理システムは、他のＩＭＳ端末管理システムに失敗情報を返事することと、同期を要求したデータが既存データと衝突しないと、ＩＭＳ端末管理システムが、同期を要求したデータを自動に更新することと、同期を要求したデータが既存データと衝突すると、ＩＭＳ端末管理システムが、他のＩＭＳ端末管理システムに衝突するノード情報を送信し、他のＩＭＳ端末管理システムが、データを調整してから再びデータの同期を行うことを更に含むことが好ましい。
【００２５】
ＩＭＳ端末管理システムが、他のＩＭＳ端末管理システムからのデータ同期更新要求を受信する前、上記方法が、ＩＭＳ端末管理システムがＩＰセグメントが衝突するか否かを自己検査し、衝突しないと、ＩＰセグメントを分割して有効にすることを更に含むことが好ましい。
【００２６】
ＩＭＳネットワークアクセス点情報が、ＩＭＳ端末がアクセスしたＩＰアドレスに対応する基地局コントローラ（Ｂａｓｅ  Ｓｔａｔｉｏｎ  Ｃｏｎｔｒｏｌｌｅｒ、ＢＳＣと略称）アドレス情報であることが好ましい。
【００２７】
本発明の他の一態様によると、ＩＭＳ端末管理システムに応用されるＩＭＳ端末のネットワークへのアクセス装置であって、ＩＭＳ端末のアクセス先ＩＭＳ端末管理システムからアクセス先のＩＭＳネットワークアクセス点情報を取得する取得モジュールと、ここで、ＩＭＳ端末管理システム間はインターフェースを介して各自のデータの同期を実現し、ＩＭＳ端末に、取得したＩＭＳネットワークアクセス点情報を含む配置情報を送信する送信モジュールと、を含むＩＭＳ端末がネットワークへアクセスする装置を提供する。
【００２８】
上記装置が、ＩＭＳ端末の予定の戦略に従って、アクセス先の業務情報と、ＩＭＳネットワークアクセス点情報と、所属地ＩＭＳ端末管理システムのローカルに保存したＩＭＳ端末が開始した業務情報とを整合する整合モジュールと、配置情報を生成する生成モジュールと、を更に含むことが好ましい。
【００２９】
本発明によると、ＩＭＳ端末管理システム間でインターフェースを介して各自のデータの同期を実現し、ローミング時に、ＩＭＳ端末の所属地ＩＭＳ端末管理システムが上記ＩＭＳ端末のアクセス先ＩＭＳ端末管理システムからアクセス先のＩＭＳネットワークアクセス点情報を取得し、所属地ＩＭＳ端末管理システムがＩＭＳ端末に配置情報を送信し、ここで、配置情報は取得したＩＭＳネットワークアクセス点情報を含み、これにより、関連技術において端末が正確なアクセス点を取得できなく、端末が業務ローミング管理を開始することができない問題を解決し、ＩＭＳ端末が取得したＩＭＳネットワークアクセス点が更に正確であって、業務ローミング管理を実現し、ＩＭＳネットワークの安全性を向上できる。
【図面の簡単な説明】
【００３０】
ここで説明する図面は本発明を理解させるためのもので、本発明の一部を構成し、本発明における実施例と共に本発明を解釈し、本発明を不当に限定するのではない。
【図１】図１は、関連技術に係わるＩＭＳ端末がローミングしてネットワークにアクセスすることを示す図である。
【図２】図２は、本発明の実施例に係わるＩＭＳ端末がネットワークにアクセスする方法を示すフローチャートである。
【図３】図３は、本発明の実施例に係わるＩＭＳ端末がネットワークにアクセスする装置の構造を示すブロック図である。
【図４】図４は、本発明の実施例に係わるＩＭＳ端末がネットワークにアクセスする装置の好適な構造を示すブロック図１である。
【図５】図５は、本発明の好適な実施例２に係わるＩＭＳ端末管理システムの構造を示すブロック図である。
【図６】図６は、本発明の好適な実施例３に係わるＩＭＳ端末がアクセス先で登録することを示すフローチャートである。
【図７】図７は、本発明の好適な実施例４に係わるＩＭＳ端末がアクセス先でアカウントを交換して登録することを示すフローチャートである。
【図８】図８は、本発明の好適な実施例５に係わるＩＭＳ端末管理システム間でデータ同期を行うことを示すフローチャートである。
【発明を実施するための形態】
【００３１】
なお、衝突しない限り、本願の実施例及び実施例中の特徴を互いに組み合わせることができる。以下、図面を参照しつつ実施例を結合して本発明を詳しく説明する。
本発明の実施例によると、ＩＭＳ端末がネットワークにアクセスする方法を提供し、図２は本発明の実施例に係わるＩＭＳ端末がネットワークにアクセスする方法を示すフローチャートで、図２に示すように、以下のステップを含む。
ＩＭＳ端末の所属地ＩＭＳ端末管理システムが、ＩＭＳ端末のアクセス先ＩＭＳ端末管理システムからアクセス先のＩＭＳネットワークアクセス点情報を取得し（ステップＳ２０２）、ここで、ＩＭＳ端末管理システム間は、インターフェースを介して各自のデータの同期を実現し、
所属地ＩＭＳ端末管理システムが、ＩＭＳ端末に配置情報を送信し（ステップＳ２０４）、ここで、配置情報は取得したＩＭＳネットワークアクセス点情報を含む。
【００３２】
上記ステップによって、ＩＭＳ端末管理システム間でインターフェースを介して各自のデータの同期を実現し、ローミング時に、ＩＭＳ端末の所属地ＩＭＳ端末管理システムが上記ＩＭＳ端末のアクセス先ＩＭＳ端末管理システムからアクセス先のＩＭＳネットワークアクセス点情報を取得し、所属地ＩＭＳ端末管理システムがＩＭＳ端末に配置情報を送信し、ここで、配置情報は取得したＩＭＳネットワークアクセス点情報を含み、これにより、関連技術において端末が正確なアクセス点を取得できなく、端末が業務ローミング管理を開始することができない問題を解決し、ＩＭＳ端末が取得したＩＭＳネットワークアクセス点がさらに正確であって、業務ローミング端末管理を実現し、ＩＭＳネットワークの安全性を向上させる。
【００３３】
ステップＳ２０２において、ＩＭＳ端末の所属地ＩＭＳ端末管理システムが、ＩＭＳ端末のアクセス先ＩＭＳ端末管理システムからアクセス先のＩＭＳネットワークアクセス点情報を取得する方式はさまざまで、以下、好適な方式を提供する。当該方式は、所属地ＩＭＳ端末管理システムが、ＩＭＳ端末の登録要求を受信し、所属地ＩＭＳ端末管理システムが、登録要求に基づいて、アクセス先ＩＭＳ端末管理システムからアクセス先のＩＭＳネットワークアクセス点情報を取得するステップを含む。当該方法によると、システムのオーバーヘッドを節約できる。
【００３４】
ここで、所属地ＩＭＳ端末管理システムが、登録要求に基づいて、アクセス先ＩＭＳ端末管理システムからアクセス先のＩＭＳネットワークアクセス点情報を取得する方式もさまざまである。しかし、実施中に、ネットワーク側の安全を保障するため、ＩＭＳコアネットワークの多くの情報はＩＭＳ端末に公開することができないので、以下、所属地ＩＭＳ端末管理システムが登録要求に基づいて、アクセス先ＩＭＳ端末管理システムからアクセス先のＩＭＳネットワークアクセス点情報を取得する好適な方式を提供し、当該方式は、所属地ＩＭＳ端末管理システムが、登録要求に基づいて、ＩＭＳ端末の合法を認証した後、ＩＭＳ端末が接続されたＩＰアドレスに基づいて、アクセス先ＩＭＳ端末管理システムを確定し、所属地ＩＭＳ端末管理システムが、アクセス先ＩＭＳ端末管理システムにＩＭＳネットワークアクセス点情報要求メッセージを送信し、所属地ＩＭＳ端末管理システムが、アクセス先ＩＭＳ端末管理システムからのＩＭＳネットワークアクセス点情報とアクセス先の業務情報を受信するステップを含む。当該方法によると、ＩＭＳ端末管理システムのドメイン（ＩＰアドレス）はＩＭＳ端末機器に開放し、ＩＭＳコアネットワーク等他の情報はＩＭＳ端末に開放しないことによって、ＩＭＳネットワークの安全性を向上させる。
【００３５】
ステップＳ２０４において、所属地ＩＭＳ端末管理システムがＩＭＳ端末に配置情報を送信する前、更に、所属地ＩＭＳ端末管理システムが、ＩＭＳ端末の予定の戦略に従って、アクセス先の業務情報と、ＩＭＳネットワークアクセス点情報と、所属地ＩＭＳ端末管理システムのローカルに保存したＩＭＳ端末が開始した業務情報とを整合して配置情報を生成するステップを含むことができる。当該方法によると、ＩＭＳ端末機器が所属地で開始した業務情報を取得し、所属地の業務情報とアクセス先の業務情報とを整合して他の情報と一緒に配置情報を生成することで、端末が業務ローミング端末管理を開始できるように支援できる。
【００３６】
実際の応用において、ＩＭＳ端末に複数の異なるアカウントが存在し、ＩＭＳ端末が一つのアカウントの所属地ＩＭＳ端末管理システムに成功的に登録した後、当該アカウントと所属地の異なる現在のアカウントで登録する必要がある場合がある。以下、当該状況での好適なローミング制御実現方式を提供する。
（１）現在のアカウントの所属地ＩＭＳ端末管理システムが身分の検証を担当し、また、情報を登録済みのアカウントのＩＭＳ端末管理システムに返事し、登録済みのアカウントのＩＭＳ端末管理システムによってアクセス先のアクセス点情報を取得し、当該方式を以下のステップによって実現することができる：ＩＭＳ端末の所属地ＩＭＳ端末管理システムが、アクセス先ＩＭＳ端末管理システムからアクセス先のＩＭＳネットワークアクセス点情報を取得する前、登録済みのＩＭＳ端末管理システムが、ＩＭＳ端末の登録要求を受信し、登録要求に基づいて、現在のアカウントの所属地ＩＭＳ端末管理システムを確定し、登録済みのＩＭＳ端末管理システムが、現在のアカウントの所属地ＩＭＳ端末管理システムに身分認証要求を発し、認証に成功すると、登録済みのＩＭＳ端末管理システムが、現在のアカウントの所属地ＩＭＳ端末管理システムから現在のアカウントの業務情報を取得してアクセス先ＩＭＳ端末管理システムからアクセス先のＩＭＳネットワークアクセス点情報を取得し、認証に成功していないと、登録を終了し、ＩＭＳ端末が登録済みのＩＭＳ端末管理システムとの接続を切断する。ここで、登録済みのＩＭＳ端末管理システムがＩＭＳ端末に業務情報及びアクセス点情報を送信し、ＩＭＳ端末がそれに基づいてＩＭＳネットワークにアクセスし、業務情報に基づいて業務を利用することができる。
【００３７】
（２）ＩＭＳ端末が登録済みのアカウントのＩＭＳ端末管理システムを介して現在のアカウントの所属地ＩＭＳ端末管理システムのドメイン情報を取得し、現在のアカウントのＩＭＳ端末管理システムからアクセス先のアクセス点情報を取得し、当該方式を以下のステップによって実現することができる：ＩＭＳ端末の所属地ＩＭＳ端末管理システムが、アクセス先ＩＭＳ端末管理システムからアクセス先のＩＭＳネットワークアクセス点情報を取得する前、登録済みのＩＭＳ端末管理システムが、ＩＭＳ端末の登録要求を受信し、登録要求に基づいて、現在のアカウントの所属地ＩＭＳ端末管理システムを確定し、登録済みのＩＭＳ端末管理システムが、ＩＭＳ端末に現在のアカウントの所属地ＩＭＳ端末管理システムのドメイン情報を送信し、現在のアカウントの所属地ＩＭＳ端末管理システムが、ＩＭＳ端末の登録要求を受信する。ここで、ＩＭＳ端末が、直接に現在のアカウントの所属地ＩＭＳ端末管理システムに登録し、現在のアカウントの所属地ＩＭＳ端末管理システムによってアクセス先ＩＭＳ端末管理システムからアクセス点情報を取得し、ＩＭＳ端末が現在のアカウントの所属地ＩＭＳ端末管理システムから送信されたアクセス点情報に基づいて、ＩＭＳネットワークにアクセスして、業務情報に基づいて業務を利用することができる。
以上、ＩＭＳ端末に複数のアカウントがＩＭＳ端末管理システムに登録することが存在する際の２種類の好適な処理方式を説明したが、実際の応用において、需要に応じて選択することができ、柔軟であって、ＩＭＳ端末管理システムの実用性を向上させる。
【００３８】
上記のステップにおいて、所属地ＩＭＳ端末管理システムがＩＭＳネットワークアクセス点情報の取得に失敗すると、所属地ＩＭＳ端末管理システムは、直接に、所属地のＩＭＳネットワークアクセス点情報をＩＭＳ端末に送信し、ＩＭＳ端末は、所属地のＩＭＳネットワークアクセス点情報に基づいて、ＩＭＳネットワークにアクセスする。当該方法によると、ＩＭＳ端末管理システムの運行が不安定である場合の解決案を提供し、ＩＭＳ端末管理システムが継続してサービスを提供することができ、ＩＭＳ端末管理システムの利用可能性を向上させる。
【００３９】
ＩＭＳ端末のネットワークへのアクセスを一層良好に実現するため、ステップＳ２０２の前に、ＩＭＳ端末管理システムが、自体の全ての端末のアカウント情報、業務データ、管轄ＩＰセグメントを配置し、また、対応する一つ又は複数のＩＭＳ端末管理システムのドメイン、管轄ＩＰセグメント、システム特徴コードを配置するステップを含むことができる。当該方法によると、ＩＭＳ端末機器の初期化及びＩＭＳ端末機器のデータ配置の便宜を図ることができ、異なるＩＭＳ端末管理システム間でのデータ同期を支援する。
【００４０】
各ＩＭＳネットワークのドメインが異なって、ＩＭＳ端末管理システムのドメインも異なることで、ＩＭＳ端末機器の初期化が困難であって、ＩＭＳ端末機器のデータ配置が複雑であるので、これらの問題を解決できる好適な方式を提供し、当該方式によると、所属地ＩＭＳ端末管理システムが、アクセス先ＩＭＳ端末管理システムからアクセス先のＩＭＳネットワークアクセス点情報を取得する前、ＩＭＳ端末管理システムが、他のＩＭＳ端末管理システムからのデータ同期更新要求を受信し、同期を要求したデータの合法性を検査し、同期を要求したデータが合法なものであると、ＩＭＳ端末管理システムが、同期を要求したデータが自体の既存のデータと衝突するか否かを検査し、同期を要求したデータが非合法なものであると、ＩＭＳ端末管理システムが、他のＩＭＳ端末管理システムに失敗情報を返事し、同期を要求したデータが既存のデータと衝突しないと、ＩＭＳ端末管理システムが、同期を要求したデータを自動に更新し、同期を要求したデータが既存のデータと衝突すると、ＩＭＳ端末管理システムが、他のＩＭＳ端末管理システムに衝突するノード情報を送信し、他のＩＭＳ端末管理システムが、データを調節してから再びデータの同期を行うステップを更に含む。当該方法によると、異なるＩＭＳ端末管理システム間でのデータ同期を行うことで、ＩＭＳ端末機器の初期化及びデータ配置の便宜を図ることができ、ＩＭＳネットワークの拡張及び応用に有利である。
【００４１】
ここで、ＩＭＳ端末管理システムが、他のＩＭＳ端末管理システムからのデータ同期更新要求を受信する前、ＩＭＳ端末管理システムがＩＰセグメントが衝突するか否かを自己検査し、衝突しないと、ＩＰセグメントを分割して有効にするステップを更に含むことができる。当該方法によると、異なるＩＭＳ端末管理システム間でのデータ同期を行うことができる。実際の応用において、ＩＭＳ端末管理システムがＩＰセグメントを自動に分割することもできる。
なお、上記内容中のＩＭＳネットワークアクセス点情報は、ＩＭＳ端末がアクセスしたＩＰアドレスに対応するＢＳＣアドレス情報であることができる。
【００４２】
本発明の実施例によると、ＩＭＳ端末がネットワークへアクセスする装置を提供し、当該装置は、上記ＩＭＳ端末のネットワークへのアクセス方法を実現するように設けられることができる。図３は、本発明の実施例に係わるＩＭＳ端末がネットワークへアクセスする装置の構造を示すブロック図で、図３に示すように、当該装置は、取得モジュール３２と、送信モジュール３４とを含み、取得モジュール３２はＩＭＳ端末のアクセス先ＩＭＳ端末管理システムからアクセス先のＩＭＳネットワークアクセス点情報を取得し、ここで、ＩＭＳ端末管理システム間はインターフェースを介して各自のデータ同期を実現し、送信モジュール３４は取得モジュール３２に連結されて、ＩＭＳ端末に配置情報を送信し、ここで、配置情報は、取得したＩＭＳネットワークアクセス点情報を含む。
【００４３】
上記装置によると、取得モジュール３２によってＩＭＳ端末のアクセス先ＩＭＳ端末管理システムからアクセス先のＩＭＳネットワークアクセス点情報を取得し、ここで、ＩＭＳ端末管理システム間はインターフェースを介して各自のデータ同期を実現し、送信モジュール３４が取得したＩＭＳネットワークアクセス点情報を含む配置情報をＩＭＳ端末に送信することによって、関連技術において端末が正確なアクセス点を取得できなく、端末が業務ローミング端末管理を開始することができない問題を解決し、ＩＭＳ端末が選択したＩＭＳネットワークアクセス点が更に正確であって、業務ローミング端末管理を実現し、ＩＭＳネットワークの安全性を向上させる効果を実現できる。
【００４４】
図４は、本発明の実施例に係わるＩＭＳ端末がネットワークへアクセスする装置の好適な構造を示すブロック図１で、図４に示すように、当該装置は、図３に示す全てのモジュールを含む以外、整合モジュール３６と、生成モジュール３８とを更に含むことができ、ここで、整合モジュール３６は取得モジュール３２に連結されて、ＩＭＳ端末の予定の戦略に従って、アクセス先の業務情報と、ＩＭＳネットワークアクセス点情報と、所属地ＩＭＳ端末管理システムのローカルに保存したＩＭＳ端末が開始した業務情報とを整合し、生成モジュール３８は整合モジュール３６に連結されて、配置情報を生成する。
【００４５】
取得モジュール３２が、ＩＭＳ端末の登録要求を受信する第１の受信ユニットと、第１の受信ユニットに連結されて、登録要求に基づいて、アクセス先ＩＭＳ端末管理システムからアクセス先のＩＭＳネットワークアクセス点情報を取得する取得ユニットと、を更に含むことが好ましい。
【００４６】
取得モジュール３２が、登録要求に基づいて、ＩＭＳ端末の合法を認証した後、ＩＭＳ端末が接続されたインターネットプロトコルＩＰアドレスに基づいて、アクセス先ＩＭＳ端末管理システムを確定する確定ユニットと、確定ユニットに連結されて、アクセス先ＩＭＳ端末管理システムにＩＭＳネットワークアクセス点情報要求メッセージを送信する送信ユニットと、送信ユニットに連結されて、アクセス先ＩＭＳ端末管理システムからのＩＭＳネットワークアクセス点情報とアクセス先の業務情報を受信する第２の受信ユニットと、を更に含むことが好ましい。
【００４７】
ＩＭＳ端末に複数の異なるアカウントが存在し、ＩＭＳ端末が一つのアカウントの所属地ＩＭＳ端末管理システムに成功的に登録した後、当該アカウントと所属地の異なる現在のアカウントで登録する場合、上記装置が所属されるＩＭＳ端末管理システムを登録済みのアカウントのシステムとし、上記装置は、ＩＭＳ端末の登録要求を受信し、登録要求に基づいて、現在のアカウントの所属地ＩＭＳ端末管理システムを確定する第１の受信モジュールと、第１の受信モジュールに連結されて、現在のアカウントの所属地ＩＭＳ端末管理システムに身分認証要求を発する開始モジュールと、開始モジュールに連結されて、認証に成功した場合、現在のアカウントの所属地ＩＭＳ端末管理システムから現在のアカウントの業務開始情報を取得し、アクセス先ＩＭＳ端末管理システムからアクセス先のＩＭＳネットワークアクセス点情報を取得し、認証に成功していないと、登録を終了し、ＩＭＳ端末が登録済みのＩＭＳ端末管理システムとの接続を切断する第１の処理モジュールと、を更に含むことが好ましい。
【００４８】
ＩＭＳ端末に複数の異なるアカウントが存在し、ＩＭＳ端末が一つのアカウントの所属地ＩＭＳ端末管理システムに成功的に登録した後、当該アカウントと所属地の異なる現在のアカウントで登録する場合、上記装置が所属されるＩＭＳ端末管理システムを登録済みのアカウントのシステムとし、上記装置は、ＩＭＳ端末の登録要求を受信し、登録要求に基づいて、現在のアカウントの所属地ＩＭＳ端末管理システムを確定する第２の受信モジュールと、第２の受信モジュールに連結されて、ＩＭＳ端末に現在のアカウントの所属地ＩＭＳ端末管理システムのドメイン情報を送信する下り回線モジュールと、を更に含み、この時、現在のアカウントの所属地ＩＭＳ端末管理システムがＩＭＳ端末の登録要求を受信することが好ましい。
【００４９】
所属地ＩＭＳ端末管理システムがＩＭＳネットワークアクセス点情報の取得に失敗した場合、所属地ＩＭＳ端末管理システムが、直接に、所属地のＩＭＳネットワークアクセス点情報をＩＭＳ端末に送信し、ＩＭＳ端末が、所属地のＩＭＳネットワークアクセス点情報に基づいてＩＭＳネットワークにアクセスすることが好ましい。
【００５０】
ＩＭＳ端末管理システムが自体の全ての端末のアカウント情報、業務データ、管轄ＩＰセグメントを配置し、また、対応する一つ又は複数のＩＭＳ端末管理システムのドメイン、管轄ＩＰセグメント、システム特徴コードを配置することが好ましい。
【００５１】
上記装置が、他のＩＭＳ端末管理システムからのデータ同期更新要求を受信し、同期を要求したデータの合法性を検査する同期モジュールと、同期モジュールに連結されて、同期を要求したデータが合法なものである場合、同期を要求したデータが自体の既存データと衝突するか否かを検査し、同期を要求したデータが非合法なものである場合、他のＩＭＳ端末管理システムに失敗情報を返事する第２の処理モジュールと、第２の処理モジュールに連結されて、同期を要求したデータが既存のデータと衝突しない場合、同期を要求したデータを自動に更新する更新モジュールと、同期を要求したデータが既存のデータと衝突する場合、他のＩＭＳ端末管理システムに衝突するノード情報を送信し、他のＩＭＳ端末管理システムがデータを調節してから再びデータの同期を行う第２の送信モジュールと、を更に含むことが好ましい。
なお、装置の実施例で説明したＩＭＳ端末がネットワークへアクセスする装置は、上記の方法の実施例に対応し、その具体的な実現フローは方法実施例で詳しく説明したので、ここでは説明を省略する。
【００５２】
本発明の技術案とその実現方法を更に明確にするため、以下、好適な実施例を結合して実現フローを詳しく説明する。
好適な実施例１
本好適な実施例において、ＩＭＳ端末のローミング制御及びデータ智能調節方法は以下のとおりである。
ＩＭＳ端末管理システム間にデータ通信双方向同期インターフェースを追加し、当該インターフェースはシステム間の管理のＩＰセグメント同期及び情報の取得に用いられる。
【００５３】
ＩＭＳ端末管理システムは、通信相手システムドメイン、管轄ＩＰセグメント、システム特徴コードを含む通信相手ＩＭＳ端末管理システムのノード情報を配置し、また、本ＩＭＳ端末管理システムの全ての端末のアカウント情報、業務データ、管轄のＩＰセグメントも配置し、全てのＩＰセグメントをシステム間で共通させると共に自動に調節し、また、システムドメインを公共ネットワークＤＮＳと事業者私有ネットワークのＤＮＳに同時に配置し、公共ネットワークにて開放し、ここで、私有ネットワークＤＮＳドメインを解析する際、全ての関連するシステムのドメインを近所の端末管理システムＩＰアドレスとして解析する。
【００５４】
ＩＭＳ端末によるＩＭＳ端末管理システムでの登録は２種類の方式がある。即ち、第１種が、近所のローミング地域（即ち、アクセス先）のＩＭＳ端末管理システムに入る方式であって、第２種が、所属地を介してローミング地域のＩＭＳ端末管理システムにアクセスする方式である。ここで、第１種の方式の場合、ＩＭＳ端末が近所でアクセス先のＩＭＳ端末管理システムにアクセスできれば、アクセス先ＩＭＳ端末管理システムは端末の登録要求に基づいて、所属地のＩＭＳ端末の合法性の認証を管理し、身分が合法すると、所属地から当該アカウントの業務情報を取得する。第２種の方式の場合、ＩＭＳ端末が所属地ＩＭＳ端末管理システムで登録すると、所属地ＩＭＳ端末管理システムは合法が認証された後、アクセス先ＩＭＳ端末管理システムは、端末の登録情報に基づいて、アクセス先ＩＭＳ端末管理システムから当該地域業務情報とＩＭＳアクセス点ＢＳＣ情報を取得する。
【００５５】
端末がアクセスしたＩＭＳ端末管理システムは、戦略に従って、取得した情報とローカルに保存した情報を整合し、整合後の情報をＩＭＳ端末に送信し、ＩＭＳ端末は情報に基づいてＩＭＳネットワークへアクセスして開始された業務を利用する。
【００５６】
上記ステップによると、全てのＩＭＳ端末がＩＭＳ端末管理システムを介してＩＭＳネットワークの最適なアクセス点を取得し、端末がネットワークへアクセスする方式が何の制限も受けず、ＩＭＳ端末がローミングしてアクセス点が正確でない問題を解決し、取得したＩＭＳネットワークのアクセス点が更に正確である。ＩＭＳ端末管理システム間にデータ通信双方向同期インターフェースを追加することによって、端末の登録が複雑である問題を解決し、端末の登録が簡単であって、端末の実現も一層簡単である。また、固定されたＩＰアドレスネットワークにアクセスできなく業務のローミング管理を実現できない問題を解決し、ローミング管理を実現し、ＩＭＳソフト端末機器の研究開発に一層有利であって、ＩＭＳネットワークの普及に一層有利である。また、ＩＭＳ端末管理システムのドメインは通信相手の端末に開放し、ＩＭＳコアネットワーク等の全ての情報は開放しないことで、ＩＭＳネットワークの安全性を向上させる。
【００５７】
好適な実施例２
図５は、本発明の好適な実施例２に係わるＩＭＳ端末管理システムの構造を示すブロック図であり、図５に示すように、当該システムは、端末インターフェースモジュール５０２と、外部ネットワーク構成要素インターフェースモジュール５０４と、データスケジューリングモジュール５０６と、データ記憶モジュール５０８と、データ管理モジュール５１０とを含む。ここで、外部の端末インターフェースモジュール５０２と外部ネットワーク構成要素インターフェースモジュール５０４と接続されるネットワーク構成要素は、登録した各種の端末、所属地登録削除システム５１２（顧客関係管理システムとも呼ばれる、Ｃｕｓｔｏｍｅｒ  ＲｅｌａｔｉｏｎｓｈＩＰ  Ｍａｎａｇｅｍｅｎｔ、ＣＲＭと略称）、通信相手リモートＩＭＳ端末管理システム５１４を含み、登録した各種端末は、ハード端末５１６、携帯電話ソフト端末５１８、ＰＣソフト端末５２０を含むことができる。
【００５８】
ここで、端末インターフェースモジュール５０２は、ハード端末５１６、携帯電話ソフト端末５１８、ＰＣソフト端末５２０のアクセスへの支援、プロトコル解析、変換機能を実現し、端末に認証登録能力を提供し、また、端末の登録状況に応じて、一つの最適なＩＭＳネットワークアクセス点情報を取得する。外部ネットワーク構成要素インターフェースモジュール５０４は、所属地登録削除システム５１２等との三方インターフェースの接続を実現し、登録削除の要求を満たし、外部ネットワーク構成要素インターフェースモジュール５０４はさらに、他のリモートＩＭＳ端末管理システム５１４との接続を実現し、システム間のＩＰアドレス、システムドメインの同期、アクセス点ＢＳＣアドレスの取得を満たす。また、データスケジューリングモジュール５０６は、システム内部のデータのスケジューリング管理及びロジック判定処理を実現し、端末の登録要求に基づいて、ユーザが所属されるＩＭＳ端末管理システムを確定し、端末の登録要求に基づいて、ユーザの現在のアクセス先ＩＭＳ端末管理システムを確定する。データ管理モジュール５１０は、データの配置、維持、管理を実現し、データ記憶モジュール５０８はユーザに記憶システムデータ、端末配置情報及び他のデータのサービスを提供する。
【００５９】
好適な実施例３
図６は、本発明の好適な実施例３に係わるＩＭＳ端末がアクセス先で登録することを示すフローチャートであり、図６に示すように、機器ＴＳと機器ＴＳ´はＩＭＳ機器であって、ＩＭＳ端末とも呼ばれ、端末又は機器とも呼ばれ、システムはＩＭＳ端末管理システムを示し、機器ＴＳの登録アカウントの所属地はシステムＡにあって、機器ＴＳの現在のシステムドメインはシステムＡのドメインであって、ＴＳがローミングしてシステムＢの管理領域に進入し、システムＢの管理領域で登録する際にシステムＢが管理するＢＳＣアドレス等の情報を取得し、端末がシステムＡから送信されたアドレスに基づいて、ＢＳＣにてＩＭＳコアネットワークにアクセスする。そして、図６の矢印はプロセスの進行方向を示し、ＴＳは端末を、ＴＳ´は端末がシステムＡからシステムＢまでローミングしたことを示す。
【００６０】
図６に示すように、当該方法は以下のステップを含む。
機器ＴＳが、システムＡからシステムＢにローミングし、機器ＴＳが機器ＴＳ´に変換される（ステップＳ６０２）。
機器ＴＳ´が、システムＢが管理するネットワークでＩＰネットワークに成功的に登録し、機器ＴＳ´は、管理システムドメインに基づいて、システムＡで登録する（ステップＳ６０４）。
システムＡは、機器ＴＳ´の情報を検証し、検証に通過した後、システムＡは、端末が接続されたＩＰアドレスに基づいて、機器ＴＳ´が所属されるアクセスシステムを判定し、その後、機器ＴＳ´が所属されるアクセスシステムＢにユーザがＢＳＣにアクセスするアドレスを取得する要求メッセージを送信する（ステップＳ６０６）。
システムＢは、システムＡから送信された端末のＩＰアドレスに基づいて、対応するＢＳＣアドレス情報を取得してシステムＡに送信する（ステップＳ６０８）。
システムＡは、システムＢから返事されたＢＳＣアドレス情報（ドメイン又はＩＰアドレス）を受信し、ＢＳＣのアドレスに基づいて機器ＴＳ´の配置情報を生成し、配置情報を機器ＴＳ´に送信する（ステップＳ６１０）。
機器ＴＳ´は、送信された配置情報に基づいて、システムＢが管理するＢＳＣでアクセスする（ステップＳ６１２）。
ここで、システムＡがシステムＢでの情報の取得に失敗すると、システムＡは直接に、所属地の情報をＴＳ´に送信し、機器ＴＳ´は直接に所属アクセス点ＢＳＣでＩＭＳネットワークにアクセスする。
【００６１】
好適な実施例４
図７は、本発明の好適な実施例４に係わるＩＭＳ端末がアクセス先でアカウントを変更して登録することを示すフローチャートであり、図７に示すように、機器ＴＳはＩＭＳ機器であって、ＩＭＳ端末とも呼ばれ、端末又は機器とも呼ばれることができ、システムはＩＭＳ端末管理システムを示し、登録アカウントＴＳ１又はアカウントＴＳ１はシステムＡに所属され、登録アカウントＴＳ２又はアカウントＴＳ２はシステムＣに所属される。
【００６２】
図７に示すように、システムＡに所属されるアカウントＴＳ１を用いて登録したシステムＡに所属される機器ＴＳがシステムＢが管理するネットワークにローミングした後、システムＣに所属されるアカウントＴＳ２を用いてシステムＢで登録する方法は以下のステップを含む。
真実のデフォルト管理システムＡが予め設定された機器ＴＳは初めて利用され、ユーザがアカウントＴＳ１で登録し、登録に成功すると、登録プロセスは図９に示すとおりである（ステップＳ７０２〜ステップＳ７０４）。
機器ＴＳが、アクセス先ネットワークシステムＢに進入し、ユーザがアカウントＴＳ２を用いて登録し、機器が登録要求をシステムＡへ発する（ステップＳ７０６）。
システムＡは、登録要求に基づいて、アカウントＴＳ２の所属地システムＣを判定する（ステップＳ７０８）。
システムＡが、システムＣにアカウントＴＳ２の身分情報認証要求を発する（ステップＳ７１０）。
システムＡが、システムＣから返事された認証結果を受信し、認証に成功していると、ＩＭＳアクセス身分情報及び業務開始情報を返事し、そうでないと、登録を終了し、システムＡとの接続を切断する（ステップＳ７１２）。
システムＡが、登録要求に基づいて、アカウントＴＳ２の現在のアクセス先ネットワークシステムＢを判定する（ステップＳ７１４）。
システムＡが、システムＢにＩＭＳアクセス情報調査を発する（ステップＳ７１６）。
システムＡが、システムＢから返事された情報を受信し、また、返事されたＩＭＳネットワークアクセス情報を取得し、調査に失敗すると、システムＡが直接に自分が管轄している最適なＩＭＳネットワークアクセス点情報を取得する（ステップＳ７１８）。
システムＡが、ＩＭＳネットワークアクセス情報及びアカウントで開始した業務情報を機器ＴＳに送信する（ステップＳ７２０）。
機器ＴＳは、取得したＩＭＳネットワークアクセス情報に基づいて、最適なアクセス点ＢＳＣでＩＭＳネットワークにアクセスし、登録を終了した後、システムＡとの接続を切断する（ステップＳ７２２）。
【００６３】
好適な実施例５
ＩＭＳ端末がＩＭＳ端末管理システムで登録する前、ＩＭＳ端末管理システム間のデータの同期を行うことができる。図８は、本発明の好適な実施例５に係わるＩＭＳ端末管理システム間でデータ同期を行うことを示すフローチャートであって、以下の説明するシステム及び管理システムはいずれもＩＭＳ端末管理システムである。先ず、システムが調節・管理する必要があるデータを確定し、例えば、元の管理ＩＰセグメントを細分化する際、システムは先ずＩＰセグメントが衝突するか否かを自己検査し、衝突しないと、システムはＩＰセグメントを自動的に分割して有効にし、同時に、システムは他の管理システムへ同期要求メッセージを送信して、システムのデータの同期又は更新を要求する。図８に示すように、当該方法は以下のステップを含む。
システムが、他のシステムの同期要求メッセージを受信する（ステップＳ８０２）。
同期要求を発したシステムの同期を要求したデータの合法性を検査し（ステップＳ８０４）、非合法なものであると、ステップＳ８０６に移行し、上記データが合法なものであると、ステップＳ８０８に移行する。
同期要求を発したシステムに直接に非合法の失敗情報を返事する（ステップＳ８０６）。
システムが、同期要求を発したシステムの同期を要求したデータがシステムの既存のデータと衝突するか否かを検査し（ステップＳ８０８）、データが衝突しないと、ステップＳ８１０に移行し、データが衝突すると、ステップＳ８１２に移行する。
システムが、同期を要求したデータを自動に更新し（ステップＳ８１０）、例えば、ＩＰセグメントの細分化要求であると、システムが同期要求メッセージに従って、同期要求を発したシステムの管轄でのＩＰセグメントを細分化し、同期に成功すると、直接に、同期要求を発したシステムのノードに成功応答を返事し、同期に失敗すると、ステップＳ８１２に移行する。
システムは、データが衝突するノードの情報を取得し、同期要求を発したシステムへ衝突するノード情報を返事し、通信相手システムである同期要求を発したシステムは、データを正確に調節してから再びデータの同期を行う（ステップＳ８１２）。
【００６４】
好適な実施例６
本好適な実施例において、移動機器にソフト端末プログラムをインストールし、当該プログラムによってＩＭＳ端末管理システムに成功的に登録してＩＭＳネットワークにアクセスすることができ、ユーザは他の外地のシステムを跨ったアカウントで登録する。機器の元のアカウントＡはシステムＡに所属され、システムＡに成功的に登録し、新しいアカウントＢはシステムＢに所属され、機器がシステムＣの管轄範囲まで移動した。機器は、システムＡ、Ｂ、Ｃのコンピューターネットワークと連通され、システムＡ、Ｂ、Ｃは互いに接続され、各システムの通信相手システムのＩＰアドレス及びドメインは完全で正確であって、例えば、システムＡの通信相手システムはシステムＢ、Ｃであって、システムＢの通信相手システムはシステムＡ、Ｃであって、システムＣの通信相手システムはシステムＡ、Ｂである。システムがローミング処理を完成するステップは以下のとおりである。
システムＡは、インターフェースを介して、本システムが管轄している全てのＩＰアドレス、ドメインをシステムＢとＣに同期させ、システムＢとＣにも同様な処理を行う（ステップＡ）。
アカウントＡは、システムＡの範囲でシステムＡへの登録に成功し、システムＣの範囲に進入してアカウントＢで登録する（ステップＢ）。
端末機器は、アカウントＢの情報に基づいて、先ずシステムＡで登録し、システムＡが登録情報を受信した後、アカウント情報に基づいて、当該アカウントＢがシステムＢに所属されると判定し、システムＡはシステムＢのドメイン情報を端末機器に送信する（ステップＣ）。
端末機器は、システムＢのドメイン情報を受信した後、システムＢに自動に登録を発し、システムＢがアカウントＢの合法の認証を行い、アクセスしたＩＰアドレスに基づいて、端末機器がシステムＣの範囲内であると判定し、システムＢがシステムＣからユーザの近所のＢＳＣアドレス情報を取得し、近所のＢＳＣアドレス情報を取得した後、ＢＳＣアドレスと業務配置情報を端末機器に送信する（ステップＤ）。
端末機器は、システムＢから送信されたＢＳＣアドレスに基づいて、近所で当該ＢＳＣにアクセスして、ＩＭＳコアネットワークにアクセスし、業務配置情報に基づいて業務を利用する（ステップＥ）。
【００６５】
なお、上記フローにおいて、ユーザはただ、ユーザ名とパスワードを入力し、他の受送信プロセスは全てバックグラウンドで自動に完成される。
また、フローチャートに示すステップを、例えば１セットのコンピューターが命令を実行可能なコンピューターシステムで実行することもでき、また、フローチャートにロジック順を示しているが、場合によっては、図に示すステップ又は説明したステップを他の順で実行することもできる。
【００６６】
上述のように、本発明の上記実施例によると、ＩＭＳ端末のネットワークへのアクセス方法及び装置を提供し、ＩＭＳ端末管理システム間でインターフェースを介して各自のデータの同期を実現し、ローミングする際にＩＭＳ端末の所属地ＩＭＳ端末管理システムが上記ＩＭＳ端末のアクセス先ＩＭＳ端末管理システムからアクセス先のＩＭＳネットワークアクセス点情報を取得し、所属地ＩＭＳ端末管理システムがＩＭＳ端末に、取得したＩＭＳネットワークアクセス点情報を含む配置情報を送信することによって、関連技術において端末が正確なアクセス点を取得できなく、端末が業務ローミング管理を開始することができない問題を解決し、ＩＭＳ端末が取得したＩＭＳネットワークアクセス点が一層正確であって、業務ローミング管理を実現し、ＩＭＳネットワークの安全性を向上させる。
【００６７】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００６８】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2016504807.tif 000003
【図２】
2016504807.tif 000004
【図３】
2016504807.tif 000005
【図４】
2016504807.tif 000006
【図５】
2016504807.tif 000007
【図６】
2016504807.tif 000008
【図７】
2016504807.tif 000009
【図８】
2016504807.tif 000010
【国際調査報告】
2016504807.tif 000011
2016504807.tif 000012
2016504807.tif 000013
2016504807.tif 000014
2016504807.tif 000015
2016504807.tif 000016